【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  血管の治療部分に超音波エネルギーを送達するシステムであって、
ユーティリティ・ルーメン、冷却ルーメン、少なくとも一つのドラッグ送達ポートを有するドラッグ送達ルーメン、及び超音波エネルギーを伝送する材料から少なくとも部分的に構築されたエネルギー送達部分を有しており、前記少なくとも一つのドラッグ送達ポートが前記エネルギー送達部分に隣接して配置されている、シースと、
少なくとも一つの超音波素子を含んでおりかつ前記エネルギー送達部分を通して前記超音波素子から前記超音波エネルギーを伝送するために前記ユーティリティ・ルーメン内に可動的に配置されるように構成された細長い本体と、
を備えていることを特徴とするシステム。
【請求項２】  前記複数のドラッグ送達ポートは、各ドラッグ送達ポートからの薬液の実質的に均等なフローをもたらす形状を有することを特徴とする請求項１に記載のシステム。
【請求項３】  前記ドラッグ送達ポートは、前記ドラッグ送達部材に沿って遠位方向でサイズが増大することを特徴とする請求項２に記載のシステム。
【請求項４】  前記ドラッグ送達ポートは、スリット形状であることを特徴とする請求項２に記載のシステム。
【請求項５】  前記ドラッグ送達ポートの密度は、前記ドラッグ送達部材に沿って遠位方向で増大することを特徴とする請求項１に記載のシステム。
【請求項６】  前記ドラッグ送達部材は、前記シースと一体であることを特徴とする請求項１に記載のシステム。
【請求項７】  前記ドラッグ送達部材は、前記シースの外部にあることを特徴とする請求項１に記載のシステム。
【請求項８】  前記ドラッグ送達部材は、前記エネルギー送達部分の回りに巻かれていることを特徴とする請求項１に記載のシステム。
【請求項９】  前記エネルギー送達部分に隣接して配置されたドラッグ送達ポートを含んでいる少なくとも一つの第２のドラッグ送達部材を更に備えていることを特徴とする請求項１に記載のシステム。
【請求項１０】  前記シースは、当該シースに支持及びねじれ抵抗を供給する支持部分を含むことを特徴とする請求項１に記載のシステム。
【請求項１１】  前記支持部分は、コポリエステルから構築されることを特徴とする請求項１０に記載のシステム。
【請求項１２】  前記エネルギー送達部分は、ポリイミドから構築されることを特徴とする請求項１に記載のシステム。
【請求項１３】  前記シースの遠位端に配置されかつ前記超音波素子が前記ユーティリティ・ルーメンの遠位端から出てゆくことを防ぐ形状を有している咬合デバイスを更に備えていることを特徴とする請求項１に記載のシステム。
【請求項１４】  前記ユーティリティ・ルーメンは、前記咬合デバイスを通って伸長しかつガイドワイヤを受取るように構成されることを特徴とする請求項１３に記載のシステム。
【請求項１５】  前記ユーティリティ・ルーメンは、ガイドワイヤを受取るように構成されることを特徴とする請求項１に記載のシステム。
【請求項１６】  前記細長い本体に含まれる少なくとも一つの第２の超音波素子を更に備えていることを特徴とする請求項１に記載のシステム。
【請求項１７】  前記ユーティリティ・ルーメン内に前記細長い本体を配置して、前記ユーティリティ・ルーメンの側面と前記細長い本体の表面との間にルーメンを形成し、かつ該ルーメンは、超音波素子冷却液を受取るように構成されることを特徴とする請求項１に記載のシステム。
【請求項１８】  シース遠位端に配置された少なくとも一つの温度センサを更に備えていることを特徴とする請求項１に記載のシステム。
【請求項１９】  前記少なくとも一つの温度センサからの信号に応じて前記超音波素子に送達されたパワーを調整する帰還制御システムを更に備えていることを特徴とする請求項１８に記載のシステム。
【請求項２０】  前記エネルギー送達部分に配置されたバルーンを更に備えていることを特徴とする請求項１に記載のシステム。
【請求項２１】  前記バルーンは、膜から構築されることを特徴とする請求項１に記載のシステム。
【請求項２２】  前記バルーンは、選択的な透過性材料から構築されることを特徴とする請求項１に記載のシステム。
【請求項２３】  血管の治療部分に超音波エネルギーを送達するシースであって、
超音波素子を有する細長い本体を可動的に受取るように構成されたユーティリティ・ルーメンと、
前記超音波素子からの超音波エネルギーを伝送する材料から少なくとも部分的に構築されたエネルギー送達部分と、
前記エネルギー送達部分に隣接して配置された複数のドラッグ送達ポートと
を備えていることを特徴とするシース。
【請求項２４】  前記複数のドラッグ送達ポートは、各ドラッグ送達ポートからの薬液の実質的に均等なフローをもたらす形状を有することを特徴とする請求項２３に記載のシース。
【請求項２５】  前記ドラッグ送達ポートは、前記ドラッグ送達部材に沿って遠位方向でサイズが増大することを特徴とする請求項２３に記載のシース。
【請求項２６】  前記ドラッグ送達ポートは、スリット形状であることを特徴とする請求項２５に記載のシース。
【請求項２７】  前記ドラッグ送達ポートの密度は、前記ドラッグ送達部材に沿って遠位方向で増大することを特徴とする請求項２３に記載のシース。
【請求項２８】  前記ドラッグ送達ポートを含むドラッグ送達部材を更に備えていることを特徴とする請求項２３に記載のシース。
【請求項２９】  前記ドラッグ送達部材は、前記シースの外部にあることを特徴とする請求項２８に記載のシース。
【請求項３０】  前記ドラッグ送達部材は、前記エネルギー送達部分の回りに巻かれていることを特徴とする請求項２９に記載のシース。
【請求項３１】  前記シースは、当該シースに支持及びねじれ抵抗を供給する支持部分を含むことを特徴とする請求項２３に記載のシース。
【請求項３２】  前記支持部分は、コポリエステルから構築されることを特徴とする請求項３１に記載のシース。
【請求項３３】  前記エネルギー送達部分は、ポリイミドから構築されることを特徴とする請求項２３に記載のシース。
【請求項３４】  前記シースの遠位端に配置されかつ前記超音波素子が前記ユーティリティ・ルーメンの遠位端から出てゆくことを防ぐ形状を有している咬合デバイスを更に備えていることを特徴とする請求項２３に記載のシース。
【請求項３５】  前記ユーティリティ・ルーメンは、前記咬合デバイスを通って伸長しかつガイドワイヤを受取るように構成されることを特徴とする請求項３４に記載のシース。
【請求項３６】  前記ユーティリティ・ルーメンは、ガイドワイヤを受取るように構成されることを特徴とする請求項２３に記載のシース。
【請求項３７】  前記ユーティリティ・ルーメン内に前記細長い本体を配置して、前記ユーティリティ・ルーメンの側面と前記細長い本体の表面との間にルーメンを形成しかつ該ルーメンは、超音波素子冷却液を受取るように構成されることを特徴とする請求項２３に記載のシース。
【請求項３８】  シース遠位端に配置された少なくとも一つの温度センサを更に備えていることを特徴とする請求項２３に記載のシース。
【請求項３９】  前記少なくとも一つの温度センサからの信号に応じて前記超音波素子に送達されたパワーを調整する帰還制御システムを更に備えていることを特徴とする請求項３８に記載のシース。
【請求項４０】  血管の治療部分に超音波エネルギーを送達するシステムであって、
超音波素子を有する細長い本体を可動的に受取るように構成されたユーティリティ・ルーメン及び前記超音波素子から超音波エネルギーを伝送する材料から少なくとも部分的に構築されたエネルギー送達部分を有しているシースと、
エネルギー送達部分に隣接して配置されるように構成される複数のドラッグ送達ポートを有しているドラッグ送達部材とを備えていることを特徴とするシステム。
【請求項４１】  前記複数のドラッグ送達ポートは、各ドラッグ送達ポートからの薬液の実質的に均等なフローをもたらす形状を有することを特徴とする請求項４０に記載のシステム。
【請求項４２】  前記ドラッグ送達ポートの密度は、前記ドラッグ送達部材に沿って遠位方向で増大することを特徴とする請求項４０に記載のシステム。
【請求項４３】  前記ドラッグ送達部材は、前記エネルギー送達部分の回りに巻かれるように構成されることを特徴とする請求項４０に記載のシステム。
【請求項４４】  前記シースは、当該シースに支持及びねじれ抵抗を供給する支持部分を含むことを特徴とする請求項４０に記載のシステム。
【請求項４５】  前記支持部分は、コポリエステルから構築されることを特徴とする請求項４４に記載のシステム。
【請求項４６】  前記エネルギー送達部分は、ポリイミドから構築されることを特徴とする請求項４０に記載のシステム。
【請求項４７】  前記ユーティリティ・ルーメン内に前記細長い本体を配置して、前記ユーティリティ・ルーメンの側面と前記細長い本体の表面との間にルーメンを形成し、かつ該ルーメンは、超音波素子冷却液を受取るように構成されることを特徴とする請求項４０に記載のシステム。
【請求項４８】  血管の治療部分に超音波エネルギーを送達するシースであって、
超音波素子を有する細長い本体を可動的に受取るように構成されたユーティリティ・ルーメン及び前記超音波素子から超音波エネルギーを伝送する材料から少なくとも部分的に構築されたエネルギー送達部分を有しているシースと、
前記エネルギー送達部分に隣接して配置された少なくとも一つの温度センサとを備えていることを特徴とするシース。
【請求項４９】  前記エネルギー送達部分に隣接して配置されるように構成される複数のドラッグ送達ポートを有しているドラッグ送達部材を更に備えていることを特徴とする請求項４８に記載のシース。
【請求項５０】  前記複数のドラッグ送達ポートは、各ドラッグ送達ポートからの薬液の実質的に均等なフローをもたらす形状を有することを特徴とする請求項４９に記載のシース。
【請求項５１】  前記少なくとも一つの温度センサからの信号に応じて前記超音波素子に送達されたパワーを調整する帰還制御システムを更に備えていることを特徴とする請求項４８に記載のシース。
【請求項５２】  血管の治療部分に超音波エネルギーを送達するシステムであって、
超音波エネルギーを伝送する材料から少なくとも部分的に構築されたエネルギー送達部分及びユーティリティ・ルーメンを有しているシースと、
前記ユーティリティ・ルーメン内で可動的に受取るように構成されかつ前記冷却液ルーメンを通って流れる冷却液によって超音波素子を冷却することができる前記細長い本体の遠位端に配置された超音波素子の十分に近くを通っている冷却液ルーメンを含んでいる細長い本体と、
を備えていることを特徴とするシステム。